(57)【要約】【課題】リング状のストッパー、さらにはそのロックを設けた取手が着脱する鍋類において、ロック機能を高める。【解決手段】外嵌状態にあるストッパー13に係止可能なロック部材19を第二の取手本体６に横向きに摺動自在に設け、かつロック部材19にはストッパー13に嵌合する嵌合受け部26を設ける。ストッパー13は断面円形の線状材を略倒コ字状に形成したものであり、嵌合受け部26は略半円状の凹部によって形成されている。外嵌状態にあるストッパー13をロック部材19により係止するのみならず、嵌合受け部26によりストッパー13を嵌合することで、取手２を鍋本体１に固定した状態においてストッパー13の抜け止めを確実に行うことができる。【選択図】図１
0003161745.tif 000002
【実用新案登録請求の範囲】
【請求項１】
鍋類の容器本体の外周に設けた係止受け部に、取手を着脱自在に設け、前記取手は上下一対の第一の取手本体と第二の取手本体を回動自在に接続して前記第一の取手本体の第一の基端と前記第二の取手本体の第二の基端とを上下方向に開閉可能に設け、この開閉に応動して、前記第一の取手本体の第一の先端と前記第二の取手本体の第二の先端間が閉状態でこれら第一の先端と第二の先端が前記係止受け部に着脱自在となり、前記第一の先端と前記第二の先端間が開状態でこれら第一の先端と第二の先端が前記係止受け部に係止され、
前記第一の基端側に略倒コ字状のストッパーの両端を回動自在に設けると共に、前記ストッパーは第一の基端側と前記第二の基端側が閉状態にある前記第二の基端側に外嵌可能に設けられ、
外嵌状態にある前記ストッパーに係止可能なロック部材を前記第二の取手本体に横向きに摺動自在に設け、かつ前記ロック部材には前記ストッパーに嵌合する嵌合受け部を設けたことを特徴とする鍋類の取手。
【請求項２】
前記ストッパーは断面円形の線状材を略倒コ字状に形成したものであり、前記嵌合受け部は略半円状の凹部によって形成されていることを特徴とする請求項１記載の鍋類の取手。
【請求項３】
前記ロック部材は、前記第二の取手本体の上面、左右側面及び下面を摺動自在に囲む枠状部材の下部に前記下面に添ってロック本体を後方へ突設して形成され、該ロック本体の上面に上方を開口した前記凹部が形成されていることを特徴とする請求項２記載の鍋類の取手。
【考案の詳細な説明】
【技術分野】
【０００１】
本考案は、鍋やフライパンなど鍋類の取手に関するものである。
【背景技術】
【０００２】
従来、鍋類の取手は容器本体の外周外側に取付杆を介して把持部が固定しているものであった（例えば、特許文献１）。このような固定式の取手では鍋類の横幅が大きくなることに起因して広い収納スペースを必要とする問題があった。
【０００３】
このような問題を解決するために、取手を着脱自在に設けるものも知られているが、例えば、この種のものとしては、鍋類の容器本体の外周外側に設けた係止受け部に、取手を着脱自在に設け、取手は上下一対の取手本体を回動自在に接続して一方の取手本体の第一の基端と他方の取手本体の第二の基端とを上下方向に開閉可能に設けられ、この開閉に応動して、一方の取手本体の先端と他方の取手本体の先端間が閉状態となってこれらが係止受け部に着脱自在となると共に先端間が開状態でこれらが係止受け部に係止され、第一の基端に略倒コ字状のストッパーの両端を回動自在に設けると共に、ストッパーは第一の基端と第二の基端が閉状態にある第二の基端に外嵌可能に設けられ、外嵌状態にあるストッパーに係止可能なロック部材を横向きに摺動自在に設けるようなものである。
【先行技術文献】
【特許文献】
【０００４】
【特許文献１】実用新案登録第３０７４６５５号公報
【考案の概要】
【考案が解決しようとする課題】
【０００５】
しかし、従来技術のようなストッパー、さらにロック部材を設けたような取手が着脱する鍋類の取手において、さらに使用中に取手が外れないようにする安全対策が望まれていた。
【０００６】
解決しようとする問題点は、鍋類の容器本体の外周に設けた係止受け部に、取手を着脱自在に設けると共に、取手を係止受け部に固定するためのストッパー、さらにはそのロックを設けた取手が着脱する鍋類において、ロック機能を高めるようにすることを目的とする。
【課題を解決するための手段】
【０００７】
請求項１の考案は、鍋類の容器本体の外周に設けた係止受け部に、取手を着脱自在に設け、前記取手は上下一対の第一の取手本体と第二の取手本体を回動自在に接続して前記第一の取手本体の第一の基端と前記第二の取手本体の第二の基端とを上下方向に開閉可能に設け、この開閉に応動して、前記第一の取手本体の第一の先端と前記第二の取手本体の第二の先端間が閉状態でこれら第一の先端と第二の先端が前記係止受け部に着脱自在となり、前記第一の先端と前記第二の先端間が開状態でこれら第一の先端と第二の先端が前記係止受け部に係止され、前記第一の基端側に略倒コ字状のストッパーの両端を回動自在に設けると共に、前記ストッパーは第一の基端側と前記第二の基端側が閉状態にある前記第二の基端側に外嵌可能に設けられ、外嵌状態にある前記ストッパーに係止可能なロック部材を前記第二の取手本体に横向きに摺動自在に設け、かつ前記ロック部材には前記ストッパーに嵌合する嵌合受け部を設けたことを特徴とする鍋類の取手である。
【０００８】
請求項２の考案においては、前記ストッパーは断面円形の線状材を略倒コ字状に形成したものであり、前記嵌合受け部は略半円状の凹部によって形成されていることを特徴とする請求項１記載の鍋類の取手である。
【０００９】
請求項３の考案においては、前記ロック部材は、前記第二の取手本体の上面、左右側面及び下面を摺動自在に囲む枠状部材の下部に前記下面に添ってロック本体を後方へ突設して形成され、該ロック本体の上面に上方を開口した前記凹部が形成されていることを特徴とする請求項２記載の鍋類の取手である。
【考案の効果】
【００１０】
請求項１の考案によれば、ストッパーを嵌合受け部によりを嵌合することで、取手を鍋類本体に固定した状態においてストッパーの抜け止めを確実に行うことができる。
【００１１】
請求項２の考案によれば、線状材からなるストッパーを略半円状の凹部の嵌合受け部に対してスムーズに着脱させることができる。
【００１２】
請求項３の考案によれば、ロック本体に設けた嵌合受け部によってストッパーをいっそう確実に固定することができる。
【図面の簡単な説明】
【００１３】
【図１】本考案の第１実施例を示す斜視図である。
【図２】同第一及び第二の基端が閉じた状態の断面図である。
【図３】同第一及び第二の基端が開いた状態の断面図である。
【図４】図２のＡ−Ａ線断面図である。
【考案を実施するための最良の形態】
【００１４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１５】
図は一実施例を示しており、鍋本体１の外周に取手２を着脱自在に固定するため一対の第一及び第二の係止受け部３，４を上下方向に間隔をおいて設ける。取手２は外側に突設する片持ち状であって、この取手２は上下一対の第一及び第二の取手本体５，６をその一対の第一及び第二の先端７，８相互を開閉可能なように略中間部の支持部９によって回動自在に連結すると共に、上下一対の第一及び第二の先端７，８にはそれぞれ一対の第一及び第二の係止受け部３，４に係止可能な第一及び第二の係止部10,10Ａが設けられている。
【００１６】
さらに、第一の取手本体５の第一の基端11に、ストッパー13を回動自在に設ける。このストッパー13は、断面円形の線状材により左右側辺14,15、下辺16を形成して略倒コ字状に形成したものであり、第一の基端11の左右側面21,22に両端17,18を回動自在に設けると共に、第一の基端12と第二の基端12が閉状態にあるときに第二の基端12にストッパー13は外嵌可能に設けられて、このストッパー13が第二の基端12を外嵌することで、第一の基端11側と第二の基端12側が閉じて、この結果第一及び第二の係止部10, 10Ａが第一及び第二の係止受け部３，４より抜け止めされるようになっている。
【００１７】
また、第二の取手本体５，６に外嵌状態にあるストッパー13に係止してロックするためのロック部材19を設ける。このロック部材19は、第二の取手本体６の上面20、左右側面21,22及び下面23を摺動自在に囲む枠状部材24を有して第二の取手本体６に横向きに摺動自在に設けられて、外嵌状態にあるストッパー13に係止可能なロック本体25を枠状部材24の下部に下面23に添って後方へ突設して形成されたものであり、ロック部材19にはストッパー13に嵌合する嵌合受け部26が設けられており、嵌合受け部26は略半円状の凹部によって形成されている。
【００１８】
尚、第二の取手本体６の第二の基端12の上面20の端部には枠状部材24が第二の基端12より抜け出ることを阻止する抜け止め用突起27が設けられている。また第一及び第二の基端11,12側の間には、これら第一及び第二の基端11,12を閉じるように付勢するバネやゴムなどにより形成される付勢手段（図示せず）が設けられている。
【００１９】
次に前記構成についてその作用を説明する、図３に示すようにロック部材19はストッパー13より外れており、さらにストッパー13が第二の取手本体６より離脱している。そして第一及び第二野の先端７，８側を挟んだ状態で第一及び第二の係止部10, 10Ａを狭めた状態で、これらを第一及び第二の係止受け部３，４間に挿入する。そして、第一及び第二野の先端７，８を挟む力を弱めると、付勢手段によって第一及び第二の基端11,12が閉じるように支持部９を回転中心として第一及び第二の取手本体５，６が回動すると、第一及び第二の先端７，８間が開いて第一及び第二の係止受け部３，４に係止する。
【００２０】
そして、図１、２、４に示すように、両端17,18を回動中心としてストッパー13を回動してストッパー13の左右側辺14,15及び下辺16を他方の取手本体５，６の左右側面21,22、下面23に外嵌することで、第一及び第二の基端11,12を、枠状部材24が摺動できる程度の隙間を残して閉じるように第一の取手本体５に対してストッパー13を介して第二の取手本体６を固定する。そして、枠状部材24を第二の基端12側に摺動させてロック本体25をストッパー13の下辺16に係止することで、ストッパー13の抜け止めを図ることができるようになっている。
【００２１】
このロック本体25がストッパー13の下辺16に係止する際、断面が円形な下辺16が、上向きに開口している略半円状の凹部によって形成されている嵌合受け部26に嵌合されることで、ストッパー13の下辺16が嵌合受け部26に嵌合されて位置決めされて、ストッパー13の抜け止めを図ることができる。
【００２２】
尚、取手２を係止受け部３，４より外すときは、まずロック部材19を前方に第一の先端７側に移動してストッパー13の下辺16と嵌合受け部26との嵌合状態を脱し、さらには下辺16とロック本体25の係止状態を脱し、さらにストッパー13を両端17,18を回動中心として外嵌状態を脱した状態で、第一及び第二の先端７，８側を挟んで狭めることで、第一及び第二の係止部10, 10Ａを第一及び第二の係止受け部３，４より脱することができる。
【００２３】
以上のように、前記実施例では請求項１に対応して、外嵌状態にあるストッパー13に係止可能なロック部材19を第二の取手本体６に摺動自在に設け、かつロック部材19にはストッパー13に嵌合する嵌合受け部26を設けたことで、外嵌状態にあるストッパー13をロック部材19により係止するのみならず、嵌合受け部26によりストッパー13を嵌合することで、取手２を鍋本体１に固定した状態においてストッパー13の抜け止めを確実に行うことができる。
【００２４】
前記実施例では請求項２に対応して、ストッパー13は断面円形の線状材を略倒コ字状に形成したものであり、嵌合受け部26は略半円状の凹部によって形成されていることにより、略半円状の凹部の嵌合受け部26に対して断面円形の線状材からなるストッパー13をスムーズに着脱させることができる。
【００２５】
前記実施例では請求項３に対応して、ロック部材19は、第二の取手本体６の上面20、左右側面21,22及び下面23を摺動自在に囲む枠状部材24の下部に下面23に添ってロック本体25を後方へ突設して形成され、該ロック本体25の上面20に上方を開口した前記凹部が形成されていることにより、ロック本体25によってストッパー13を係止できると共に、ロック本体25に設けた嵌合受け部26によってストッパー13をいっそう確実に固定することができる。
【産業上の利用可能性】
【００２６】
以上のように本考案にかかる鍋類の取手は、各種の用途に適用できる。
【符号の説明】
【００２７】
１  鍋本体
２  取手
３  第一の係止受け部
４  第二の係止受け部
５  第一の取手本体
６  第二の取手本体
10  10Ａ  係止受け部
11  第一の基端
12  第二の基端
13  ストッパー
17  18  両端
19  ロック部材
20  上面
21  左側面
22  右側面
23  下面
24  枠状部材
25  ロック本体
26  嵌合受け部
【図１】
0003161745.tif 000003
【図２】
0003161745.tif 000004
【図３】
0003161745.tif 000005
【図４】
0003161745.tif 000006